(57)【要約】  【課題】  監視用のカメラ装置のカメラハウジングの内部に置かれたカメラ装置本体やズームレンズが盗難に遭うのを防止する盗難防止付きカメラ装置提供することにある。  【解決手段】  本発明のカメラ装置は、光学系と、上記光学系を介して被写体像を撮像するカメラ部と、センサーおよび第１の警報装置と、少なくとも上記光学系、上記カメラ部および上記センサーとを内蔵するカメラハウジングと、上記カメラハウジングに着脱自在に取りつけられるカメラハウジングの蓋部および上記第１の警報装置の駆動手段とからなり、上記センサーは、上記カメラハウジングの蓋部と連携し、上記カメラハウジングの着脱に応じて検知信号を発生し、上記検知信号に基づいて上記第１の警報装置の駆動手段を駆動するように構成される。【選択図】  図１
2005086609.tif 000002
【特許請求の範囲】
【請求項１】
光学系と、上記光学系を介して被写体像を撮像するカメラ部と、センサーおよび第１の警報装置と、少なくとも上記光学系、上記カメラ部および上記センサーとを内蔵するカメラハウジングと、上記カメラハウジングに着脱自在に取りつけられるカメラハウジングの蓋部および上記第１の警報装置の駆動手段とからなり、上記センサーは、上記カメラハウジングの蓋部と連携し、上記カメラハウジングの着脱に応じて検知信号を発生し、上記検知信号に基づいて上記第１の警報装置の駆動手段を駆動することを特徴とするカメラ装置。
【発明の詳細な説明】
【技術分野】
【０００１】
本発明は、カメラ装置およびカメラシステムに関し、特に、カメラハウジング等によってカメラ装置を保護しているカメラ装置およびカメラシステムに関するものである。
【背景技術】
【０００２】
カメラ装置を用いた監視装置は、例えば、公共の建物や場所、銀行、スーパ等の店舗、ダム、基地、飛行場等の立入り禁止区域等への侵入者あるいは侵入物体（以下侵入物体と称す）を監視する目的で、数多く用いられている。特に、最近では無人の監視カメラ装置の設置が増加しており、その場合でも広範囲の監視領域を視野内に入れ、しかも解像度の高い監視カメラの設置が増大する傾向に有る。このような広範囲の監視領域で、解像度の高い監視カメラ装置が使用されているが、カメラ装置本体やズームレンズ等の光学系が極めて高価なものが多い。一方、これら監視カメラ装置では、定期的な保守、点検のために監視カメラ装置のカメラハウジング部の蓋を簡単に開けることができるような構造になっている。
【０００３】
しかしながらこのような高価な監視カメラ装置がカメラハウジング部の蓋を簡単に開けられ、カメラ装置本体やズームレンズが盗難に遭う機会が増加しており、また、カメラハウジング部の蓋が開けられても監視事務所では何も分からないため、その対策が望まれている。
【０００４】
【特許文献１】特に、発見されていない。
【発明の開示】
【発明が解決しようとする課題】
【０００５】
本発明の目的は、監視用のカメラ装置のカメラハウジングの内部に置かれたカメラ装置本体や光学系が盗難に遭うのを防止することを目的とするもである。
【課題を解決するための手段】
【０００６】
本発明のカメラ装置は、光学系と、上記光学系を介して被写体像を撮像するカメラ部と、センサーおよび第１の警報装置と、少なくとも上記光学系、上記カメラ部および上記センサーとを内蔵するカメラハウジングと、上記カメラハウジングに着脱自在に取りつけられるカメラハウジングの蓋部および上記第１の警報装置の駆動手段とからなり、上記センサーは、上記カメラハウジングの蓋部と連携し、上記カメラハウジングの着脱に応じて検知信号を発生し、上記検知信号に基づいて上記第１の警報装置の駆動手段を駆動するように構成される。
【０００７】
また、本発明のカメラ装置において、上記第１の警報装置の駆動手段は、外部電力供給手段と、内部の蓄電池手段と、上記外部電力供給手段と上記内部の蓄電池手段とを切替える切替手段および上記切替手段を制御する制御回路とを有し、上記制御手段は、上記外部電力供給手段の電力供給の停止に応答して上記切替手段を制御するように構成される。
【０００８】
また、本発明のカメラ装置において、上記制御回路は、更に、所定情報の入力手段を有し、上記所定情報の入力に基づいて上記第１の警報装置の駆動手段の動作を停止させるように構成される。
【０００９】
更に、本発明のカメラシステムは、カメラ装置と、上記カメラ装置と伝送路で結合された監視端末装置とを有し、上記カメラ装置は、光学系と、上記光学系を介して被写体像を撮像するカメラ部と、センサーおよび第１の警報装置と、少なくとも上記光学系、上記カメラ部および上記センサーとを内蔵するカメラハウジングと、上記カメラハウジングに着脱自在に取りつけられるカメラハウジングの蓋部および上記第１の警報装置の駆動手段とからなり、上記センサーは、上記カメラハウジングの蓋部と連携し、上記カメラハウジングの着脱に応じて検知信号を発生し、上記検知信号に基づいて上記第１の警報装置の駆動手段を駆動すると共に、上記監視端末装置は、信号処理部と第２の警報装置とを有し、上記検知信号に基づいて上記第２の警報装置を駆動するように構成される。
【発明の効果】
【００１０】
本発明によればカメラ装置においてカメラ装置本体や光学系等の高価な部品の盗難を防止することができる。
【発明を実施するための最良の形態】
【００１１】
図１は、本発明の一実施例を示すブロック図である。図１において、カメラ装置は、カメラ部１００、雲台１０７および固定台１１４で構成されている。カメラ部１００は、カメラ部１００のハウジング部１０１、被写体を拡大するズームレンズ等の光学系１０２、被写体等を撮像するカメラ本体１０３、カメラハウジング部の蓋部１０４、カメラハウジング部の蓋部の状態を検出するセンサー１０５およびブザー等の第1警報装置１０６から構成されている。なお、本発明に直接関係しない部品等は、省略されている。
【００１２】
このカメラ部１００は、被写体を拡大し、撮像するズームレンズ等の光学系１０２を介してカメラ本体１０３で映像信号に変換され、伝送路（図示せず。）を介して後述する監視事務所等に伝送される。カメラハウジング部の蓋部１０４は、定期的にカメラ部１００の点検、整備あるいは故障時の修理等のためにカメラハウジング部１０１にネジ等により着脱自在に取りつけられている。
【００１３】
雲台１０７は、カメラ部１００と結合され、カメラ部１００を所定の監視方向に向けるためのパン、チルト方向に駆動する駆動機構部（図示せず。）を具えている。雲台１０７は、各種の制御をするマイクロコンピュータ（以下、マイコンという。）１０８、外部端子１１７を介してＡＣ電源から供給される電力をカメラ部１００および雲台１０７の各種機器に必要な電圧変換を行ない、供給する電源回路１０９、センサー１０５およびブザー等の第1警報装置１０６への電力の供給をオン／オフするためのリレー１１０、電池または蓄電池１１２（以下電池手段と言う。）、センサー１０５およびブザー１０６の電源供給を電源回路１０９からとするか、電池１１２からとするかを切り替えるための切替スイッチ１１１および暗号入力装置１１３から構成されている。なお、リレー１１０は、オン／オフスイッチとマイコン１０８からの信号で動作するスイッチ制御回路で構成することができる。なお、電源部１０９、電池手段１１２、マイコン１０８、スイッチ１１１、リレー１１０、ブザー等の第1警報装置１０６およびセンサー１０５で警報システムを構成する。また、上記実施例では、第1警報装置１０６は、カメラハウジング１０１内に設けているが、雲台１０７等の別の場所に設置することもできることは勿論である。
【００１４】
１１４は、固定台で、雲台を所定部署に支持するためのものである。１１５は、通信用トランシーバＩＣで、入出力端子１１６を介して外部の制御端末装置（これについては後述する。）とマイコン１０８が通信するためのものである。
【００１５】
図２は、図１に示す装置の外観図を示し、カメラ装置１００、雲台１０７および固定部１１４で構成されている。この装置では、カメラ装置１００は、カメラハウジング部１０１の内部にズームレンズ１０２およびカメラ部１０３が内蔵され、蓋部１０４がカメラハウジング部１０１にネジ等で固定されている。
【００１６】
図３は、センサー１０５の一実施例の具体的構成を示す。図３において、３０１は、センサーボックス、３０２は、導電性のセンサー突起部、３０３は、バネ部材である。センサー突起部３０２は、バネ部材３０３の作用で、センサーボックス３０１に可動自在に取りつけられている。３０４ａ、３０４ｂは、電極端子、３０５は、信号端子であり、マイコン１０８に接続されている。１０４は、カメラハウジング部の蓋部である。
【００１７】
このセンサー１０５の動作を説明すると、カメラハウジング部の蓋部１０４がカメラハウジング１０１に取りつけられた状態では、導電性のセンサー突起部３０２は、蓋部１０４で押されて、電極端子３０４ａ、３０４ｂから離されている。従って、この状態では、信号端子３０５は、開放されており、オフの状態となる。一方、カメラハウジング部の蓋部１０４がカメラハウジング部１０１から外れると、導電性のセンサー突起部３０２は、バネ部材３０３で押され、導電性のセンサー突起部３０２は、電極端子３０４ａ、３０４ｂ間を短絡することになり、信号端子３０５がオンの状態となる。なお、本実施例では、センサー１０５として図３の構造のセンサーを説明したが、上記以外の各種センサーが使用可能であり、特に、これに限定されるものではない。
【００１８】
次に図１に示すカメラ装置の動作について説明する。外部端子１１７に電力が供給され、電源回路１０９が動作状態の場合、マイコン１０８は、電源回路１０９の動作状態を検出し、切替スイッチ１１１のスイッチ端子をａ側に接続する。リレー１１０は、マイコン１０８の制御で、通常は、オン状態に保持されている。従って、センサ１０５およびブザー１０６は、電源回路１０９から電力が供給されている。
【００１９】
この状態でカメラハウジング部の蓋部１０４が正常にカメラハウジング部１０１に取りつけられていると、図３に示すように導電性のセンサー突起部３０２は、蓋部１０４で押され、信号端子３０５は、開放されており、オフの状態となる。従って、マイコン１０８は、センサー１０５からなんらの信号も検出しない。一方、カメラハウジング部の蓋部１０４が何かの原因で外れる、あるいは外されると、導電性のセンサー突起部３０２は、バネ部材３０３で押され、電極端子３０４ａ、３０４ｂ間を短絡することになり、信号端子３０５がオンの状態となる。その結果、マイコン１０８は、信号端子３０５から信号を検出し、ブザー１０６の駆動回路（図示せず。）を駆動し、警報を鳴らすように動作する。これによりカメラハウジング部の蓋部１０４が外されたことが判明し、カメラハウジング部１０１の内部の高価なズームレンズ等の光学系１０２およびカメラ部１０３の盗難を防止できる。また、マイコン１０８は、この検知信号でブザー１０６を駆動するのみならず、信号出力端子１１６から後述するように監視端末に警報情報を送信することもできるように構成されている。
【００２０】
而して、このようにカメラハウジング部の蓋部１０４が外されたことにより警報を発することにより盗難防止装置付きのカメラ装置を実現しているが、このようなカメラ装置は、通常定期的な点検、整備を行なうことが義務付けられる場合が多い。従って、点検整備の作業員がカメラハウジング部の蓋部１０４を外して点検整備する場合、蓋部１０４を外す度にブザー１０６が鳴るようでは、点検整備ができなくなる。また、蓋部１０４を外すと同時にブザーのスイッチを切るように構成することもできるが、それでもブザー１０６のスイッチを切るまでは、ブザーが鳴り続ける。一方、スイッチを設けることにより、盗難時スイッチが切られ、盗難防止の役目を果たさなくなることにもなる。
【００２１】
従って、本発明では、点検整備時には、リレー１１０がマイコン１０８の制御でオフ状態になるように構成されている。即ち、１１３は、例えば、暗号入力装置で、点検者がこの暗号入力装置１１３で、特定の番号、例えばＩＤ番号を入力すると、マイコン１０８は、このＩＤ番号を検出し、リレー１１０の駆動回路を付勢し、リレー１１０をオフにする。これによりブザー１０６には、電源回路１０９から電力の供給がなく、ブザー１０６が鳴ることはない。従って、点検整備の前に点検者は、リレー１１０をオフにしてからカメラハウジング部の蓋部１０４を外し、点検整備を行ない、点検整備を終了すると、再度暗号入力装置１１３を操作し、リレー１１０をオンに復帰させることにより、警報付きのカメラ装置として再動作する。
【００２２】
次に本発明の他の一実施例を図１を用いて説明する。先に説明してように本発明は、電源回路１０９の他に電池手段１１２を備えていることを説明した。この電池手段１１２は、電池、蓄電池の他、燃料電池等種々のものが利用可能である。即ち、電源回路１０９のように外部電力供給端子１１７から電力を供給される電源とは、独立であり、外部からの電力の供給無しに、電池手段１１２そのもので電力を発生するものである。このような電池手段１１２は、どんな形式の電池手段であってもよい。勿論、充電形式の電池手段であることが望ましい。なお、この電池手段は、補助電源と言うこともできる。
【００２３】
この電池手段１１２の動作について説明する。例えば、何らかの原因で電力供給端子１１７に電力が供給されなかったとすると、マイコン１０８は、これを検出し、スイッチ回路１１１の端子をｂ側に接続し、電池手段１１２からの電力がブザー１０６およびリレー１０５に供給されるように構成されている。従って、送電線の故障で電力が電力供給端子１１７に供給されなかったり、あるいは、故意に電源回路１０９への電力供給線を切断された場合でも補助電源１１２によりカメラ装置の警報システムは、停止することはない。結果として、警報システムは正常に動作し、ズームレンズ１０２およびカメラ部１０３等の盗難を防止することができる。なお、電源回路１０９への電力供給が停止すると、マイコン１０８も停止することになるが、電源回路１０９への電源供給が停止すると、補助電源１１２に切替わり、マイコン１０８の制御回路および警報システムのみ動作させ、カメラ部１０３、雲台１０７の駆動装置等電力の必要な機器への供給は、停止するように構成されていることは明らかである。また、マイコン１０８の制御回路もオフとなるが、スイッチ１１１の駆動回路の電源がオフになると、自動的にスイッチ１１１の端子がｂ側に接続されるように、例えば、スイッチ１１１の初期設定を端子ｂ側に接続されるように構成しておけば、警報システムのみ動作させるようにすることもできる。
【００２４】
次に本発明の他の一実施例を図４を用いて説明する。図４は、本発明のカメラシステムのブロック構成を示す。図４において４０１−１、・・・４０１−ｎは、図１に示されるカメラ装置が複数台伝送路４０２、例えば、ＬＡＮ（Local Area Network）等でサービスセンタ４０３および監視事務所４０４に接続されている場合を示している。特に、広範囲の監視を必要とする地域や建物では、数台から数十台の監視カメラ装置４０１（監視カメラ装置を総称する場合は、４０１と称する。）が設置されるのが普通である。なお、複数の監視カメラ装置４０１−１・・・４０１−ｎからは、カメラ部１００で撮像された監視映像がサービスセンタ４０３および監視事務所４０４に送られることは勿論のこと、各監視カメラ装置のマイコン１０８から各監視カメラ装置４０１の動作状況も送られてくるように構成されている。
【００２５】
サービスセンタ４０３は、監視システムの維持管理を行なうもので、監視カメラ４０１−１・・・４０１−ｎの稼動状況を把握したり、各種設定を行なったり、設定を変更したりするためのＣＰＵ４０５を具えている。ＣＰＵ４０５は、監視カメラ装置４０１−１、・・・４０１−ｎそれぞれの動作状態を把握するためのモニタ４０６および各種設定のための操作器（キーボード、マウス等）４０７からなる。これらを総称して制御端末装置とも言う。ＣＰＵ４０５は、必要により監視カメラ装置４０１−１、・・・４０１−ｎのそれぞれのマイコン１０８の動作を制御したり、内容を更新したりする機能を有する。即ち、定期点検時に、先の説明では、点検者がカメラ装置に設けられている暗号入力装置１１３へのＩＤの入力により警報システムを停止させ、カメラ装置の点検整備を行なうことについて説明したが、サービスセンタ４０３のＣＰＵ４０５の操作器４０７から点検の必要な監視カメラを指定し、そのマイコン１０８を制御して警報システムを停止させることもできる。
【００２６】
監視事務所４０４は、監視カメラ装置４０１−１・・・４０１−ｎから送られてくる監視映像を入手するための複数のＣＰＵ４０９（制御端末装置とも言う。）が設置され、そのモニタ４１０に監視映像が表示されるようになっている。操作器４１１は、ＣＰＵ４０９への入力手段であり、監視者がモニタしたい場所に設置されているカメラ装置の監視映像を選択してモニタすることも可能である。また、４１２は、第２の警報装置であり、監視カメラ装置側で、カメラハウジング部の蓋部１０４が外されたことによりブザー等の第１警報装置１０６が鳴ると同時にマイコン１０８は、入出力端子１１６からネットワーク４０２を介してＣＰＵ４０９に警報情報を送出し、第２の警報装置４１２により警報を発するように構成される。これにより警報機付き監視カメラシステムを構成することができる。なお、第２の警報装置が作動した場合、どの監視カメラ装置の警報システムが作動したかの情報、例えば、監視カメラ装置の番号あるいは設置場所等をモニタ４１０に表示することもできる。
【００２７】
なお、ＣＰＵ４０９およびモニタ４１０は、必要に応じて複数の監視カメラ装置４０１からの監視映像をマルチ表示する機能も有していることは言うまでもない。なお、図４の実施例では、監視事務所の中に複数台の制御端末装置が設置されているが、複数の場所に分散して設置することもできる。
【００２８】
以上、本発明について詳細に説明したが、本発明は、ここに記載された監視カメラや監視カメラシステムに限定されるものではなく、上記以外のカメラ装置やカメラシステムに広く適応することが出来ることは、言うまでも無い。
【図面の簡単な説明】
【００２９】
【図１】本発明の一実施例を示すブロック構成図である。
【図２】本発明の一実施例の外観図を示す。
【図３】本発明の一実施例に使用するセンサーの具体的構成を示す図である。
【図４】本発明の他の一実施例を示すブロック構成図である。
【符号の説明】
【００３０】
１００：カメラ部、１０１：カメラハウジング部、１０２：ズームレンズ、１０３：カメラ部、１０４：カメラハウジング部の蓋部、１０５：センサー、１０６：ブザー、１０７：雲台、１０８：マイコン、１０９：電源回路、１１０：リレー、１１１：スイッチ、１１２：電池手段、１１３：暗号入力装置、１１４：固定台、１１５：通信用トランシーバＩＣ、１１６：信号入出力端子、１１７：外部電源入力端子、４０１：監視カメラ、４０２：伝送線路、４０３：サービスセンタ、４０４：監視事務所、４０５、４０９：ＣＰＵ、４０６、４１０：モニタ、４０７、４１１：操作器、４１２：警報装置。
【図１】
2005086609.tif 000003
【図２】
2005086609.tif 000004
【図３】
2005086609.tif 000005
【図４】
2005086609.tif 000006